(57)【要約】【課題】プラントの操作を行うための操作器画面を既存のデータベースを用いて製作して、効率化を図ることができる操作器画面生成装置を得る。【解決手段】プラントを構成している機器に対応した操作器の固有識別番号に基づいて当該操作器の情報をデータベースから抽出する情報抽出手段と、すべての操作器に対応させた標準形の操作器画面を格納する標準形画面格納手段と、前記標準形の操作器画面内に設けられた表示エリアに、前記データベースから抽出された前記情報を埋め込んで、当該操作器画面を生成する操作器画面生成手段と生成された前記操作器画面を表示する操作器画面表示手段とを備えた操作器画面生成装置である。【選択図】図１
2005346432.tif 000002
【特許請求の範囲】
【請求項１】
プラントを構成している機器に対応した操作器の固有識別番号に基づいて当該操作器の情報をデータベースから抽出する情報抽出手段と、
すべての操作器に対応させた標準形の操作器画面を格納する標準形画面格納手段と、
前記標準形の操作器画面内に設けられた表示エリアに、前記データベースから抽出された前記情報を埋め込んで、当該操作器画面を生成する操作器画面生成手段と
生成された前記操作器画面を表示する操作器画面表示手段と
を備えたことを特徴とする操作器画面生成装置。
【請求項２】
前記操作器の操作線番情報を含む前記操作器の生成状態を確認するための属性情報を前記データベースから抽出して表示する生成状態確認手段をさらに備えたことを特徴とする請求項１に記載の操作器画面生成装置。
【請求項３】
前記データベースにおける前記操作器の操作線番のエラーを抽出して表示する操作線番チェック手段をさらに備えたことを特徴とする請求項１または２に記載の操作器画面生成装置。
【請求項４】
前記操作器の操作を変更させる場合に、前記データベースの修正により当該変更を行うことを特徴とする請求項１ないし３のいずれか１項に記載の操作器画面生成装置。
【請求項５】
前記データベースは、前記操作器の操作に関する付加情報の追加が可能なものであって、
前記データベースから、前記付加情報を抽出するための付加情報抽出手段をさらに備えたことを特徴とする請求項１ないし４のいずれか１項に記載の操作器画面生成装置。
【請求項６】
前記付加情報は、操作器ごとの当該操作器の操作の次に操作すべき次操作操作器の情報であることを特徴とする請求項５に記載の操作器画面生成装置。
【請求項７】
前記付加情報は、操作器ごとの操作手順書の固有識別情報であって、
前記付加情報抽出手段によって前記データベースから抽出される前記操作手順書の固有識別情報を表示する操作手順書情報表示手段をさらに備えたことを特徴とする請求項５に記載の操作器画面生成装置。
【請求項８】
前記データベースは、所定の情報については２カ国語以上の言語で情報を格納しているものであって、
当該情報をいずれの言語で表示するかを切り替えるための他国語切替手段をさらに備えたことを特徴とする請求項１ないし７のいずれか１項に記載の操作器画面生成装置。
【発明の詳細な説明】
【技術分野】
【０００１】
この発明は操作器画面生成装置に関し、特に、原子力発電所等のプラントの監視・制御を行うためのプラント操作装置の操作器の画面を生成する操作器画面生成装置に関する。
【背景技術】
【０００２】
従来のプラント監視画面自動生成装置では、プラントの監視画面について、設計用にＣＡＤ（Ｃｏｍｐｕｔｅｒ  Ａｉｄｅｄ  Ｄｅｓｉｇｎ）装置で製作した画面データや入出力データを利用して、画面製作を自動化している（例えば、特許文献１参照。）。
【０００３】
なお、当該特許文献１においては、プラント監視用の操作器についての生成については特に言及されていない。
【０００４】
一般的な操作器の従来技術では、操作器一つについて、一つの操作器画面を製作し、リクエストされた場合、その画面を呼び出して表示している。このため、操作器の数だけ、操作器画面を製作する必要がある。それぞれの操作器の動作試験を行う際も、一つ一つの操作器を画面上で呼び出す必要がある。また、原子力のプラント監視に適用する計算機は、専用に開発した計算機を用いることがあり、その画面も、通常の画面描画装置を用いて製作するため、ユーザが修正したり、一時的に追加情報を表示したりすることは困難である。
【０００５】
【特許文献１】特開昭６３−２７３９１４号公報
【発明の開示】
【発明が解決しようとする課題】
【０００６】
上述したように、特許文献１に記載されている装置は、例えば、プラント監視画面自動生成装置であり、プラントの監視画面についてのものである。たとえ、この技術を操作器に応用したとしても、一つの操作器に対して、一つの操作器画面を製作しなければならなかった。この場合、操作信号を示す操作線番は、仕様書からの手入力となり、その際に入力ミスなどが発生する可能性があるという問題点があった。
【０００７】
また、それぞれの操作器画面の機能試験を実施するためには、一つ一つの操作器を呼び出して、実際に操作を行う必要があり、ユーザの負荷が大きいという問題点があった。
【０００８】
また、専用のＣＡＤ装置を用いなければ、画面の表示情報を変更することができず、ユーザによって一時的に操作禁止にしたり、注意事項や該当手順書番号など、付加情報を表示することはできないという問題点があった。
【０００９】
また、英語など、２カ国語対応が必要となった場合は、個々の操作器画面を英語、日本語の２通り作成しなければならなくなり、製作工数が大きくなるという問題点があった。
【００１０】
この発明はかかる問題点を解決するためになされたものであり、プラントの操作を行うための操作器画面についても、設計用に製作したデータベースを用いて製作して効率化を図るための操作器画面生成装置を得ることを目的としている。
【課題を解決するための手段】
【００１１】
この発明は、プラントを構成している機器に対応した操作器の固有識別番号に基づいて当該操作器の情報をデータベースから抽出する情報抽出手段と、すべての操作器に対応させた標準形の操作器画面を格納する標準形画面格納手段と、前記標準形の操作器画面内に設けられた表示エリアに、前記データベースから抽出された前記情報を埋め込んで、当該操作器画面を生成する操作器画面生成手段と生成された前記操作器画面を表示する操作器画面表示手段とを備えた操作器画面生成装置である。
【発明の効果】
【００１２】
この発明は、プラントを構成している機器に対応した操作器の固有識別番号に基づいて当該操作器の情報をデータベースから抽出する情報抽出手段と、すべての操作器に対応させた標準形の操作器画面を格納する標準形画面格納手段と、前記標準形の操作器画面内に設けられた表示エリアに、前記データベースから抽出された前記情報を埋め込んで、当該操作器画面を生成する操作器画面生成手段と生成された前記操作器画面を表示する操作器画面表示手段とを備えた操作器画面生成装置であるので、プラントの操作を行うための操作器画面をデータベースを用いて製作して、効率化を図ることができる。
【発明を実施するための最良の形態】
【００１３】
実施の形態１．
以下、この発明の実施の形態１に係る操作器画面生成装置を図１に基づいて説明する。なお、本実施の形態に係る操作器画面生成装置は、例えば、原子力発電所等のプラントにおいて、タッチパネルを用いたＣＲＴオペレーションをプラント制御に適用する場合、多数の操作器画面を製作しなければならないが、その製作をデータベースを利用して生成し、効率化するための装置である。また、データベースの変更で付加情報を表示可能とし、操作性を向上するためのものである。
【００１４】
本実施の形態においては、仕様書として、画面を生成するための画面仕様書１がある。当該画面仕様書１に基づいて全ての操作器に対する標準形の画面を生成するが、各操作器毎の画面を生成する際には、データベースから情報を抽出して、当該情報を標準形の画面に設けられた各表示欄に表示することにより、簡単に各操作器ごとの画面を容易に生成することができる。なお、本実施の形態においては、当該データベースについては特に生成せずに、設計用に製作した既存のデータベースを用いることとする。
【００１５】
画面仕様書１には、プラントを構成している全ての機器１ａについて、どの操作器を呼び出すかの操作器の固有識別番号としての呼出番号１ｂが記載されている。すなわち、画面仕様書１には、各機器１ａごとに、呼び出すべき操作器の呼出番号１ｂが記載されている。また、画面仕様書１には、全ての操作器に対する標準形の画面１ｃの仕様も規定されている。なお、図１に、標準形の画面１ｃの一例を示す。標準形の画面１ｃにおいては、操作器名称表示エリア１ｃ−１と、操作ボタンラベル表示エリア１ｃ−２とが設けられている。画面仕様書１は、紙媒体でも、電子データでも、どちらでも良いものとする。
【００１６】
上記のデータベースを生成するためのデータベース仕様書２には、呼出番号１ｂごとに、その操作器の操作器名称２ａ、各操作ボタンに対応する操作信号の線番２ｂ、および、操作ボタンのラベル２ｃが記載されている。データベース仕様書２は紙媒体であるが、このデータベース仕様書２を作成するための電子データベース２’が存在している。すなわち、電子データベース２’には、図１に示すように、呼出番号１ｂごとに、その操作器の操作器名称２ａ’、各操作ボタンに対応する操作信号の線番２ｂ’、および、操作ボタンのラベル２ｃ’の情報（電子データ）が含まれている。
【００１７】
次に、本実施の形態に係る操作器画面生成装置の動作について説明する。画面については、まずはじめに、ユーザが、画面仕様書１を参照して、それに基づいて、コンピュータ上に、標準形の画面１ｃ（電子データ）を予め作成してメモリに格納しておく（標準形画面格納手段）。
この状態において、コンピュータ上に、各機器毎の操作器の画面を生成するための初期画面１０１を表示させる。初期画面には、機器１ａのシンボル１００と、当該機器１ａに対して呼び出すべき操作器の呼出番号１ｂが表示されている。
このとき、表示されている機器１ａのシンボル１００をユーザがタッチすると、電子データベース２’から、当該機器１ａに対応している操作器の呼出番号１ｂが検索され、操作器名称２ａ’、操作信号の線番２ｂ’、操作ボタンのラベル２ｃ’の情報が抽出される（情報抽出手段）とともに、予め生成されている操作器の標準形の画面１ｃの電子データが読み出される。
そこで、操作器の標準形の画面１ｃの各表示エリア１ｃ−１および１ｃ−２の中に、抽出した情報２ａ’および２ｃ’を埋め込むことにより、当該操作器に対するコンピュータ上の実際の画面１’が生成され（操作器画面生成手段）、ユーザのコンピュータの画面に表示される（操作器画面表示手段）。実際の画面１’には、図１に示すように、機器１ａのシンボル１００と、操作器画面１ｃ’とが、表示されている。
なお、画面生成用の電子データベースとしては、上述のデータベース仕様書２を作成するための既存の電子データベース２’を用いて、当該標準形の画面１ｃに、各機器に対応している操作器ごとの情報の表示を設定している。
【００１８】
以上のように、本実施の形態によれば、操作器については、標準形の画面１ｃを一つ生成することで、複数の操作器の画面として利用することができ、画面生成に関わる工数を低減することができる。また、設計用に仕様書を作成するための電子データベース２’をそのまま利用することができるため、操作器名称２ａ’、および、操作ボタンのラベル２ｃ’の情報を入力する作業を省力化でき、入力ミスなどを防止することができる。
【００１９】
実施の形態２．
以下、この発明の実施の形態２に係る操作器画面生成装置を図２に基づいて説明する。上記の実施の形態１の構成に加えて、本実施の形態においては、図２に示すように、標準形の画面１ｃ上に、操作器の生成状態を確認するための属性情報である操作線番を表示するための操作線番表示エリア１ｃ−３を設けるようにした（生成状態確認手段）。他の構成については、上記の実施の形態１と同様であるため、同一符号を付して示し、ここでは、その説明を省略する。なお、前記操作器が正しく生成されているかを示す操作器の生成状態を確認するための属性情報として、本実施の形態においては、操作器の操作線番を例に挙げて説明するが、この場合に限らず、前記操作器が正しく生成されているかを示す操作器の生成状態を確認するための情報であれば、それを属性情報としてもよい。
【００２０】
動作については、基本的に、実施の形態１と同じであり、初期画面１０１に表示されている機器１ａのシンボル１００をユーザがタッチすると、電子データベース２’から、当該機器１ａに対応している操作器の呼出番号１ｂが検索され、操作器名称２ａ’、操作信号の線番２ｂ’、操作ボタンのラベル２ｃ’の情報が抽出されるとともに、予め生成されている操作器の標準形の画面１ｃの電子データが読み出される。
次に、本実施の形態においては、ここで、操作器の標準形の画面１ｃの各表示エリア１ｃ−１、１ｃ−２および１ｃ−３の中に、抽出した情報２ａ’、２ｃ’、２ｂ’を埋め込むことにより、操作器画面１ｃ’が生成され、当該操作器画面１ｃ’と機器１ａのシンボル１００とを含むコンピュータ上の実際の画面１’が生成され、ユーザのコンピュータの画面に表示される。
【００２１】
以上のように、上記の実施の形態１においては、操作器画面１ｃ’では、操作線番の表示エリア１ｃ−３は設けない例について示したが、本実施の形態によれば、操作線番の表示エリア１ｃ−３を設けることにより、画面で操作器を呼び出し表示した際に、操作線番２ｂ’の情報も表示されるので、操作器が操作線番まで正しく結合しているか否かをユーザが確認することができる。また、操作器の機能を試験する際にも、実際に操作器を操作しなくても、操作線番が正しく埋め込まれているか否かを確認することができる。なお、前記操作器が正しく生成されているかを示す操作器の生成状態を確認するための属性情報として、本実施の形態においては、操作器の操作線番を例に挙げて説明したが、この場合に限らず、前記操作器が正しく生成されているかを示す操作器の生成状態を確認するための情報であれば、それを属性情報としてもよく、その場合にも同様の効果が得られる。
【００２２】
実施の形態３．
以下、この発明の実施の形態３に係る操作器画面生成装置を図３に基づいて説明する。上記の実施の形態２においては操作器線番２ｂ’の情報を常時表示する例について説明したが、本実施の形態においては、図３に示すように、操作器画面１ｃ’内に線番表示ボタン２ｅ’を設け、必要時のみ、当該線番表示ボタン２ｅ’にユーザがタッチすることにより、操作線番２ｂ’の情報を表示させるようにした。これにより、試験時や、確認したい時にのみ、属性を表示させることが可能である。通常の操作時には不要な情報であり、不要な場合は、表示させないことが可能となる。なお、他の構成については、上記の実施の形態１および２と同様であるため、同一符号を付して示し、ここでは、その説明を省略する。
【００２３】
動作についても、実施の形態１および２と基本的に同じである。本実施の形態においては、まずはじめに、ユーザが、画面仕様書１を参照して、それに基づいて、図２の画面１ｃに、さらに線番表示ボタン２ｅ’を追加した画面を、コンピュータ上に、標準形の画面１ｃ（電子データ）として、予め作成して格納しておく。
この状態において、コンピュータ上に、各機器毎の操作器の画面を生成するための初期画面１０１（図１または図２参照）を表示させる。初期画面には、機器１ａのシンボル１００と、当該機器１ａに対して呼び出すべき操作器の呼出番号１ｂが表示されている。
このとき、表示されている機器１ａのシンボル１００をユーザがタッチすると、電子データベース２’から、当該機器１ａに対応している操作器の呼出番号１ｂが検索され、操作器名称２ａ’、操作信号の線番２ｂ’、操作ボタンのラベル２ｃ’の情報が抽出されるとともに、予め生成されている操作器の標準形の画面１ｃの電子データが読み出される。
そこで、操作器の標準形の画面１ｃの各表示エリア１ｃ−１、１ｃ−２および１ｃ−３の中に、抽出した情報２ａ’、２ｃ’、２ｂ’を埋め込むことにより、当該操作器に対するコンピュータ上の実際の画面１’が生成され、ユーザのコンピュータの画面に表示される。実際の画面１’には、機器１ａのシンボル１００と、図３に示す操作器画面１ｃ’とが、表示されている。このとき、線番表示ボタン２ｅ’をタッチすることにより、操作線番２ｂ’の表示の有無を切り替えることができる。
なお、画面生成用の電子データベースとしては、上記の実施の形態１および２と同様に、上述のデータベース仕様書２を作成するための既存の電子データベース２’を用いて、当該標準形の画面１ｃに、各機器に対応している操作器ごとの情報の表示を設定している。
【００２４】
以上のように、本実施の形態においては、操作器画面１ｃ’内に線番表示ボタン２ｅ’を設け、必要時のみ、当該線番表示ボタン２ｅ’をユーザが操作することにより、操作線番２ｂ’の情報を表示させるようにしたので、これにより、試験時や、確認したい時にのみ、属性を表示させることが可能となり、通常の操作時には不要な情報であるため、不要な場合は、表示させないことが可能となり、ユーザが見やすい画面で操作することができる。
【００２５】
実施の形態４．
以下、この発明の実施の形態４に係る操作器画面生成装置を図４に基づいて説明する。上記の実施の形態１の構成において、本実施の形態においては、電子データベース２ｂ’を、一般の汎用パソコン４でのデータベース管理用ソフトウェア４ａで作成する場合について説明する。本実施の形態のデータベース管理用ソフトウェア４ａは、電子データベース２’内の情報に基づいて操作器が正常に生成されたか否かを判定して、正常に生成されていた場合には、それを明示する機能を有している。その一例として、作成した電子データベース２’内において異なる操作器で同じ線番を用いることはあり得ないので、データベース管理用ソフトウェア４ａでは、異なる操作器で同じ線番を誤って用いているか否かをチェックし、誤って用いている場合には、自動的にそれを抽出することができる機能を有している（操作線番チェック手段）。これにより、試験作業に入る前に、機械的なチェックにより、誤りを検出でき、試験作業を省力化できる。他の構成および動作については、実施の形態１と同じであるため、ここではその説明を省略する。
【００２６】
以上のように、本実施の形態においては、パソコン４にデータベース管理用ソフトウェア４ａをインストールしておき、作成した電子データベース２’内において、異なる操作器で同じ線番を誤って用いているか否かをチェックし、誤って用いている場合には、自動で抽出できるようにしたので、試験作業に入る前に、機械的なチェックにより、誤りを検出でき、試験作業を省力化できる。
【００２７】
実施の形態５．
以下、この発明の実施の形態５に係る操作器画面生成装置を図５に基づいて説明する。上記の実施の形態４の構成において、本実施の形態においては、操作線番２ｂ’を、操作器の呼出番号１ｂと、副番１，２，・・・で付番するといった、下記に示す機械的な付番ルール５を設定する。
【００２８】
付番ルール：  操作線番１＝（呼出番号）−１
操作線番２＝（呼出番号）−２
【００２９】
このように、付番ルール５によれば、操作線番１については、操作器の呼出番号１ｂの後ろに“−１（ハイフン１）”を付加したものを操作線番１の情報とし、線番２については、操作器の呼出番号１ｂの後ろに“−２（ハイフン２）”を付加したものを操作線番２の情報とするように設定している。
【００３０】
これにより、一般の汎用パソコン４でのデータベース管理用ソフトウェア４ａのデータチェック機能を用いた場合に、上記のような機械的な付番ルールであれば、その付番ルールどおり付番できているかどうかをチェックするだけで、線番の誤りを簡単にチェックできるようになるので、試験作業を省力化できる。
【００３１】
以上のように、本実施の形態においては、操作線番の情報として、操作器の呼出番号に所定の値（−１，−２，・・・等）を付加したものを用いるようにしたので、データベース管理用ソフトウェア４ａは、そのような機械的な付番ルールどおりに付番できているかどうかをチェックするだけで、操作線番の誤りを簡単にチェックできるようになり、試験作業の負荷を削減して省力化することができる。
【００３２】
実施の形態６．
以下、この発明の実施の形態６に係る操作器画面生成装置を図６に基づいて説明する。上記の実施の形態１の構成において、本実施の形態においては、操作器画面１ｃ’を直接編集しなくても、電子データベース２’の変更作業で操作器の表示情報を変更したり、補足情報を表示することができるようにした例について説明する。この電子データベース２’は汎用パソコン４で編集することができ、編集作業が容易である。これを用い、例えば、図６に示すように、電子データベース２’の操作線番２ｂ’の情報を空白にすることにより、操作信号を出力できないようにすることできる。プラントの状態によっては、一時的に操作禁止とすることもあるため、このように、電子データベースの変更作業により、容易に、かつ確実に操作禁止とすることができると、利便性が向上する。また、作業終了後も、容易に元に戻すことができる。
【００３３】
以上のように、本実施の形態においては、電子データベース２’の修正により、操作器の操作を禁止したり、操作に有用な付加情報を表示したりすることが容易にできるため、操作性を向上させることができる。
【００３４】
実施の形態７．
以下、この発明の実施の形態７に係る操作器画面生成装置を図７に基づいて説明する。上記の実施の形態６と同様に電子データベース２’の操作線番を空白とした場合に、本実施の形態においては、図７に示すように、操作器画面１ｃ’で操作ボタン２ｃ’に×印等の目印３−１を付けることで、操作禁止であることを明示するようにした。
【００３５】
以上のように、本実施の形態においては、上記の実施の形態６と同様の効果が得られるとともに、さらに、電子データベース２’の操作線番を空白とした場合に、操作器画面１ｃ’で操作ボタン２ｃ’に×印等の目印３−１を付けることで、操作禁止であることを明示するようにしたので、ユーザがわかりやすく、利便性が向上する。
【００３６】
実施の形態８．
以下、この発明の実施の形態８に係る操作器画面生成装置を図８に基づいて説明する。実施の形態６の構成において、本実施の形態においては、さらに、図８に示すように、電子データベース２’に操作禁止か否かを設定することができる操作禁止設定欄３−２を設けるようにした。例えば、当該欄３−２に、「１」を入力すれば操作禁止（操作不能）、「０」を入力すれば操作禁止が解除され、通常通り操作可能とする。これにより、容易に操作禁止を設定できるだけでなく、操作禁止を解除する際に、元の操作線番を入力し直す必要がなくなる。
【００３７】
以上のように、本実施の形態においては、実施の形態６および７と同様の効果が得られるとともに、さらに、電子データベース２’に操作禁止か否かを設定することができる操作禁止設定欄３−２を設けるようにして、「１」を入力すれば操作禁止（操作不能）を設定できるようにしたので、容易に操作禁止を設定できるだけでなく、操作禁止を解除する際に、元の操作線番を入力し直す必要がなくなり、作業終了後の負荷を低減できるとともに、誤入力を防止することができる。
【００３８】
実施の形態９．
以下、この発明の実施の形態９に係る操作器画面生成装置を図９に基づいて説明する。実施の形態６の構成において、本実施の形態においては、さらに、図９に示すように、電子データベース２’に注意事項等の付加情報を入力できる備考欄４−０を設けるようにした。また、操作器画面１ｃ’には、図９に示すように、備考欄４−０の情報を表示する備考欄情報表示エリア４−１を設ける。これにより、作業を引き継ぎする際にも、個々の操作器毎に、確実に注意事項を伝達することが可能となる。また、その注意事項が不要となった時には、備考欄の内容を消去することにより、画面上からも消去させることができる。
【００３９】
以上のように、本実施の形態においては、実施の形態６，７，８と同様の効果が得られるとともに、さらに、電子データベース２’に、操作器の操作に関する注意事項等の付加情報を入力できる備考欄４−０を設けるようにし、操作器画面１ｃ’には、備考欄４−０の情報を抽出して表示する備考欄情報表示エリア４−１を設けるようにしたので、作業を引き継ぎする際にも、個々の操作器毎に、確実に注意事項を伝達することが可能となる。
【００４０】
実施の形態１０．
以下、この発明の実施の形態１０に係る操作器画面生成装置を図１０に基づいて説明する。上記の実施の形態９の構成において、本実施の形態においては、さらに、操作器画面１ｃ’内に、備考欄４−０に入力された付加情報である注意事項の表示の有無を切り替えるためのボタン４−２を設けるようにした。何らかの注意事項の記載がある場合は、このボタン４−２を赤色で表示し、それをユーザが押した場合、ウィンドウ画面４−３が開かれ、注意事項をウィンドウ画面４−３で表示させる。これにより、注意事項があることを確実にユーザに伝えるとともに、必要時のみ、注意事項を表示させることが可能となる。
【００４１】
以上のように、本実施の形態においては、実施の形態６〜９と同様の効果が得られるとともに、さらに、電子データベース２’に、注意事項を入力できる備考欄４−０を設けるようにし、操作器画面１ｃ’には、備考欄４−０に入力された注意事項の表示の有無を切り替えるためのボタン４−２を設けるようにして、何らかの注意事項の記載がある場合は、このボタン４−２を赤色で表示し、それをユーザが押した場合にのみ、注意事項を表示するようにしたので、作業を引き継ぎする際にも、個々の操作器毎に、確実に注意事項を伝達することが可能となるとともに、必要時のみ、注意事項を表示させることが可能となる。
【００４２】
実施の形態１１．
以下、この発明の実施の形態１１に係る操作器画面生成装置を図１１に基づいて説明する。実施の形態９の構成において、本実施の形態においては、備考欄４−０に、付加情報として、次に操作すべき操作器の操作器番号４−４を記載しておく。操作器の場合は、必ず、操作の順番が決まっており、ある操作器を操作したら、必ず別のある操作器を操作する場合がある。この場合に、備考欄４−０に、引き続いて操作すべき操作器番号１ｂ−１を記載しておき、ある操作器を呼び出し、その操作を終えた段階で、電子データベース２’から、次に操作すべき操作器の操作器番号４−４を抽出して（次操作操作器情報抽出手段）、当該操作器番号４−４に基づいて次に操作すべき操作器を自動で呼び出す。これにより、操作忘れを防止することができる。
【００４３】
以上のように、本実施の形態においては、実施の形態６〜１０と同様の効果が得られるとともに、さらに、電子データベース２’に、注意事項を入力できる備考欄４−０を設けるようにし、備考欄４−０に、次に操作すべき操作器番号４−４を記載しておき、ある操作器を呼び出し、その操作を終えた段階で、次の操作器を自動で呼び出すようにしたので、これにより、操作忘れを防止することができる。
【００４４】
実施の形態１２．
以下、この発明の実施の形態１２に係る操作器画面生成装置を図１２に基づいて説明する。上記の実施の形態１１の構成において、さらに、本実施の形態においては、備考欄４−０に格納している付加情報である次に操作すべき操作器の操作器番号４−４を抽出して、それに基づいて、次に操作すべき操作器を呼び出すことをユーザが指示するためのボタン４−５を操作器画面１ｃ’の中に設けるようにした。これにより、次に操作すべき操作器を手動で呼び出すことができる。
【００４５】
以上のように、本実施の形態においては、実施の形態１１と同様の効果が得られるとともに、さらに、操作器画面１ｃ’の中に、次に操作すべき操作器を呼び出すボタン４−５を設けるようにして、ユーザが当該ボタン４−５を操作することにより、次に操作すべき操作器を手動でも呼び出すことができるようにしたので、操作性が向上する。
【００４６】
実施の形態１３．
以下、この発明の実施の形態１３に係る操作器画面生成装置を図１３に基づいて説明する。実施の形態６の構成において、本実施の形態においては、備考欄４−０に、その操作器を操作するための操作手順書の固有識別情報としてのタイトル４−６を付加情報として記載し、そのタイトルを電子データベース２’から抽出して操作器画面のエリア４−７に表示するようにした（操作手順書情報表示手段）。これにより、ある操作器を操作する際に、どの手順書を確認すべきか判別でき、操作手順書の確認を徹底させることができる。
【００４７】
以上のように、本実施の形態においては、実施の形態６と同様の効果が得られるとともに、さらに、備考欄４−０に、その操作器を操作するための操作手順書のタイトル４−６を記載し、そのタイトルを操作器画面のエリア４−７に表示するようにしたので、ある操作器を操作する際に、どの手順書を確認すべきか判別でき、操作手順書の確認を徹底させることができ、利便性が向上する。
【００４８】
実施の形態１４．
以下、この発明の実施の形態１４に係る操作器画面生成装置を図１４に基づいて説明する。実施の形態１３の構成において、本実施の形態においては、さらに、操作手順書が電子化されて別の計算機５に実装されていて、オンラインで接続されている場合について説明する。そのようなシステムにおいて、手順書の番号で、対応する手順書がリクエストできる仕組みを持たせ、備考欄４−０に手順書番号４−６を記載しておくことで、その手順書番号に該当する手順書を、別の計算機５においてリクエスト表示する。これにより、操作時に、操作手順を確実に参照させることができる。
【００４９】
以上のように、本実施の形態においては、実施の形態１３と同様の効果が得られるとともに、さらに、操作手順書が電子化されて別の計算機５に実装されていて、オンラインで接続されている場合に、備考欄４−０に手順書番号４−６を記載しておくことで、その手順書番号に該当する手順書を、別の計算機５においてリクエスト表示するようにしたので、操作時に、操作手順を確実に参照させることができる。
【００５０】
実施の形態１５．
以下、この発明の実施の形態１５に係る操作器画面生成装置を図１５に基づいて説明する。実施の形態１〜１４の構成において、本実施の形態においては、さらに、電子データベース２’に、操作器名称２ａ’や、操作器ラベル２ｃ’について、それぞれ英語での名称欄２ａ’’、操作器ラベル２ｃ’’を設ける。操作器画面には、英語／日本語を切り替えるための切り替えボタン６（他国語切替手段）を設ける。そして、切り替えボタン６を押した際には、英語の操作器名称欄２ａ’’および操作器ラベル２ｃ’’の情報を表示する。再度、切り替えボタン６を押した場合には、日本語の操作器名称欄２ａ’および操作器ラベル２ｃ’の情報を表示する。これにより、二カ国語対応が必要になった場合も、電子データベース２’の変更作業のみで対応することが出来る。操作線番２ｂの情報には手を加えないため、その部分に関する試験も不要である。
【００５１】
以上のように、本実施の形態においては、実施の形態１〜１４と同様の効果が得られるとともに、さらに、電子データベース２’に、操作器名称２ａ’や、操作器ラベル２ｃ’について、それぞれ英語での名称欄２ａ’’、操作器ラベル２ｃ’’を設けておき、操作器画面１ｃ’の切り替えボタン６を押した際には、英語の操作器名称欄２ａ’’および操作器ラベル２ｃ’’の情報を表示するようにしたので、二カ国語対応が必要になった場合も、電子データベース２’の変更作業のみで対応することが出来る。
【図面の簡単な説明】
【００５２】
【図１】この発明の実施の形態１に係る操作器画面生成装置の概略構成を示した説明図である。
【図２】この発明の実施の形態２に係る操作器画面生成装置の概略構成を示した説明図である。
【図３】この発明の実施の形態３に係る操作器画面生成装置の概略構成を示した説明図である。
【図４】この発明の実施の形態４に係る操作器画面生成装置の概略構成を示した説明図である。
【図５】この発明の実施の形態５に係る操作器画面生成装置の概略構成を示した説明図である。
【図６】この発明の実施の形態６に係る操作器画面生成装置の概略構成を示した説明図である。
【図７】この発明の実施の形態７に係る操作器画面生成装置の概略構成を示した説明図である。
【図８】この発明の実施の形態８に係る操作器画面生成装置の概略構成を示した説明図である。
【図９】この発明の実施の形態９に係る操作器画面生成装置の概略構成を示した説明図である。
【図１０】この発明の実施の形態１０に係る操作器画面生成装置の概略構成を示した説明図である。
【図１１】この発明の実施の形態１１に係る操作器画面生成装置の概略構成を示した説明図である。
【図１２】この発明の実施の形態１２に係る操作器画面生成装置の概略構成を示した説明図である。
【図１３】この発明の実施の形態１３に係る操作器画面生成装置の概略構成を示した説明図である。
【図１４】この発明の実施の形態１４に係る操作器画面生成装置の概略構成を示した説明図である。
【図１５】この発明の実施の形態１５に係る操作器画面生成装置の概略構成を示した説明図である。
【符号の説明】
【００５３】
１  画面仕様書、１’  実際の画面、１ａ，１ａ’  機器、１ｂ，１ｂ’  呼出番号、１ｃ  標準形の画面、１ｃ’  操作器画面、２  データベース仕様書、２’  電子データベース、２ａ，２ａ’  操作器名称、２ｂ，２ｂ’  操作線番、２ｃ，２ｃ’  操作ボタンのラベル。
【図１】
2005346432.tif 000003
【図２】
2005346432.tif 000004
【図３】
2005346432.tif 000005
【図４】
2005346432.tif 000006
【図５】
2005346432.tif 000007
【図６】
2005346432.tif 000008
【図７】
2005346432.tif 000009
【図８】
2005346432.tif 000010
【図９】
2005346432.tif 000011
【図１０】
2005346432.tif 000012
【図１１】
2005346432.tif 000013
【図１２】
2005346432.tif 000014
【図１３】
2005346432.tif 000015
【図１４】
2005346432.tif 000016
【図１５】
2005346432.tif 000017